Podtech/llm-jp-corpus-v4-ja_patent huggingface dataset:
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
喫煙を習慣としたことが無い者(無喫煙習慣者)又は25年未満の間の喫煙者(軽度喫煙者)であり、テロメラーゼ逆転写酵素(TERT)を発現する非小細胞肺癌(NSCLC)を有するHLA-A*0201陽性患者における癌の処置に用いるための、配列番号１の潜在性TERT572ペプチドに対するCTL応答を誘導する配列番号２のペプチドを含む組成物。
【請求項２】
TERTを発現する腫瘍を有するHLA-A*0201陽性患者であって、配列番号２のペプチドを既にワクチン投与されている無喫煙習慣者又は軽度喫煙者である患者における癌の処置に用いるための、配列番号１のペプチドを含む組成物。
【請求項３】
無喫煙習慣者又は軽度喫煙者であり、TERTを発現する腫瘍を有するHLA-A*0201陽性患者における癌の処置に用いるための配列番号１及び配列番号２のペプチドの組合せ。
【請求項４】
前記患者が無喫煙習慣者又は25年未満の間喫煙者であった元喫煙者(元軽度喫煙者)である、請求項１若しくは２に記載の組成物又は請求項３に記載の組合せ。
【請求項５】
前記患者が非喫煙者又はNSCLC診断の少なくとも５年前に禁煙した元喫煙者である、請求項１〜４のいずれか１項に記載の組成物又は組合せ。
【請求項６】
前記患者が第一選択の化学療法を受けており、配列番号２のペプチドのワクチン投与前に安定疾病を有する、請求項１〜５のいずれか１項に記載の組成物又は組合せ。
【請求項７】
前記患者が非免疫原性腫瘍を有する、請求項１〜６のいずれか１項に記載の組成物又は組合せ。
【請求項８】
ワクチン投与前の患者の血液試料において、配列番号１のペプチドに特異的なCTL応答及び/又は配列番号３のペプチドに特異的なCTL応答及び/又は配列番号５のペプチドに特異的なCTL応答が検出できないとき、腫瘍が非免疫原性とみなされる、請求項７に記載の組成物又は組合せ。
【請求項９】
前記患者の血液試料が、白金ベースの第一選択化学療法の終了後２週間未満で採取されたものである、請求項８に記載の組成物又は組合せ。
【請求項１０】
前記患者が転移性癌を有する、請求項１〜９のいずれか１項に記載の組成物又は組合せ。
【請求項１１】
前記患者が男性である、請求項１〜１０のいずれか１項に記載の組成物又は組合せ。
【請求項１２】
前記患者が非扁平上皮(NSQ)NSCLCを有する、請求項１〜１１のいずれか１項に記載の組成物又は組合せ。
【請求項１３】
前記患者がECOG＞０、好ましくはECOG＝１を有する、請求項１〜１２のいずれか１項に記載の組成物又は組合せ。
【請求項１４】
TERT陽性NSCLCを有するHLA-A*0201陽性無喫煙習慣患者又は軽度喫煙患者が、配列番号１及び２のペプチドのワクチン投与による免疫療法処置に対して良好なレスポンダーとなる可能性があるかをインビトロで決定する方法であって、腫瘍の免疫原性を評価することを含み、腫瘍が非免疫原性であるとき、患者は前記免疫療法処置に対して良好なレスポンダーである可能性がある、方法。
【請求項１５】
腫瘍の免疫原性を、ワクチン投与前の前記患者の血液試料において、配列番号１のペプチドに特異的なCTL応答を測定することにより、及び/又は配列番号３のペプチドに特異的なCTL応答を測定することにより、及び/又は配列番号５のペプチドに特異的なCTL応答を測定することにより評価し、前記CTL応答が検出できないとき腫瘍は非免疫原性である、請求項１４に記載の方法。
【請求項１６】
配列番号１のペプチドに特異的なCTL応答及び/又は配列番号３のペプチドに特異的なCTL応答及び/又は配列番号５のペプチドに特異的なCTL応答を、酵素結合免疫スポット(ELISpot) IFNgアッセイにより測定する、請求項１５に記載の方法。
【請求項１７】
(i)ELISpotアッセイを行うための試薬及びプレートと、(ii)配列番号１、配列番号３及び配列番号５からなる群より選択されるペプチドと、(iii)陰性対照としての無関係のペプチドとを含む、請求項１４〜１６のいずれか１項に記載の方法を行うためのキット。
【手続補正書】
【提出日】令和3年5月14日(2021.5.14)
【手続補正１】
【補正対象書類名】明細書
【補正対象項目名】０５３５
【補正方法】変更
【補正の内容】
【０５３５】
AM2
本明細書で使用する場合、「AM2」は、「アドレノメデュリン受容体サブタイプ2」を表す。
【手続補正２】
【補正対象書類名】明細書
【補正対象項目名】０５５３
【補正方法】変更
【補正の内容】
【０５５３】
有効なヌクレオチドプローブ配列は、その発現を特異的に検出して測定するために、AM(NM_001124.2)、AM2、CLR(CLRバリアント1: NM_005795.5、CLRバリアント2: NM_214095.1)又はRAMP3(NM_005856.2)又はそれらのバリアントのバイオマーカーの転写物の任意の配列領域に型どおりに設計され得ることが理解されよう。当業者は、とりわけ、転写物の存在量を測定するために使用したプラットフォーム、プローブが結合する配列領域、及び使用したハイブリッド化条件に応じて、選択した特定のプローブの有効性は様々となることを理解している。
【手続補正３】
【補正対象書類名】明細書
【補正対象項目名】０５５９
【補正方法】変更
【補正の内容】
【０５５９】
核酸がmRNAである好ましい実施形態では、本発明は、本発明の化合物による処置への治療応答性を予測又は決定する方法であって、バイオマーカーの転写物レベルが、PCRにより決定される方法を提供する。様々な好適なPCR増幅に基づく技術は、当分野で周知である。PCRの適用は、当分野で常套的であり、当業者は、適切なポリメラーゼ、緩衝液、リポーター部分及び反応条件を選択することができよう。好ましくは、mRNA転写物存在量は、qPCR、dPCR又はマルチプレックスPCRによって決定されよう。ヌクレオチドプライマー配列は、当分野で周知の方法によって、AM(NM_001124.2)、AM2、CLR(CLRバリアント1:NM_005795.5、CLRバリアント2:NM_214095.1)又はRAMP3(NM_005856.2)又はそれらのバリアントのバイオマーカーの転写物の任意の配列領域に対して型どおりに設計され得る。したがって、当業者は、有効なプライマーが、AM、AM2、CLR又はRAMP3から選択されるバイオマーカーの転写物又はcDNAの異なる領域に対して設計され得ること、及び選択された特定のプライマーの有効性が、とりわけ、選択された領域、転写物存在量を測定するために使用されたプラットフォーム、生物学的試料、及び使用されたハイブリッド化条件に応じて様々となることを理解している。したがって、プライマーが、関連cDNAを特異的に増幅することを可能にする場合、原理的に、転写物の任意の領域を標的とするプライマーは、本発明に従い使用することができることが理解されよう。しかし、当業者は、バイオマーカーの発現を検出するための適切なプライマー配列を設計する際に、プライマー配列は、AM(NM_001124.2)、AM2、CLR(CLRバリアント1:NM_005795.5、CLRバリアント2:NM_214095.1)又はRAMP3(NM_005856.2)、又はそれらの断片若しくはバリアントに対応するバイオマーカーのcDNA配列に選択的かつ特異的に結合することができることが要求されることを認識している。好適な結合パートナーは、上で議論した通り、バイオマーカーのcDNA転写物に特異的に結合するようになされている核酸プライマーが好ましい。関与する試料に応じて、好ましくは、AM、AM2、CLR又はRAMP3のいずれかを特異的に標的とするプライマーが提供されよう。
【手続補正４】
【補正対象書類名】明細書
【補正対象項目名】０５７０
【補正方法】変更
【補正の内容】
【０５７０】
当業者は、AM(NM_001124.2)、AM2、CLR(CLRバリアント1:NM_005795.5、CLRバリアント2:NM_214095.1)若しくはRAMP3(NM_005856.2)、又はそれらの断片若しくはバリアントに対応するバイオマーカーの転写物又はcDNA配列の任意の配列領域に対するヌクレオチドプローブ配列を設計する常套手段と見なすと思われる。これはまた、発現レベルの検出がPCRに基づく技術によって決定される場合に使用されるヌクレオチドプライマーの場合にもあてまる。
【手続補正５】
【補正対象書類名】明細書
【補正対象項目名】０５７１
【補正方法】変更
【補正の内容】
【０５７１】
当然ながら、当業者は、バイオマーカーの発現を検出するための適切なプローブ配列を設計する際に、プローブ配列は、AM(NM_001124.2)、AM2、CLR(CLRバリアント1:NM_005795.5、CLRバリアント2:NM_214095.1)若しくはRAMP3(NM_005856.2)、又はそれらの断片若しくはバリアントに対応するバイオマーカーの転写物又はcDNA配列に選択的かつ特異的に結合することが可能となることが要求されることを認識している。したがって、プローブ配列は、好ましくはストリンジェント条件、より好ましくは超高ストリンジェンシー条件の下で、そのようなヌクレオチド配列にハイブリダイズされよう。用語「ストリンジェント条件」とは、ハイブリッド化及び洗浄のための一組の条件を説明するために理解され得、様々なストリンジェントハイブリッド化条件が、熟練した読み手に精通されているであろう。2つの相補性核酸分子が、ワトソン-クリック型塩基対として知られている相互にある量の水素結合を受ける場合、核酸分子のハイブリッド化が行われる。ハイブリッド化のストリンジェンシーは、核酸を取り巻く環境(すなわち、化学的/物理的/生物的)条件、温度、ハイブリッド化法の性質、並びに使用される核酸分子の組成及び長さに応じて、様々であり得る。特定のストリンジェンシー度を達成するために必要なハイブリッド化条件に関する計算は、Sambrookら(2001、Molecular Cloning: A Laboratory Manual、Cold Spring Harbor Laboratory Press、Cold Spring Harbor、NY);及びTijssen(1993、Laboratory Techniques in Biochemistry and Molecular Biology-Hybridization with Nucleic Acid Probes Part I、第2章、Elsevier、NY)に議論されている。Tmは、核酸分子の所与の鎖の50%が、その相補鎖とハイブリダイズされる温度である。
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
対象における関節リウマチの治療または予防のための組成物であって、治療有効量の化合物を含み、ここで前記化合物がSTAT5阻害剤、またはSTAT5阻害剤の薬学的に許容される塩、またはSTAT5阻害剤の溶媒和物、またはSTAT5阻害剤のプロドラッグである、組成物。
【請求項２】
前記化合物がピモジドである、請求項１に記載の組成物。
【請求項３】
ピモジドが１日あたり約１mg/kg体重〜約20 mg/kg体重の量で前記対象に投与される、請求項２に記載の組成物。
【請求項４】
ピモジドが１日あたり約１mg/kg体重〜約5 mg/kg体重の量で前記対象に投与される、請求項２に記載の組成物。
【請求項５】
ピモジドが１日あたり約5 mg/kg体重〜約10 mg/kg体重の量で前記対象に投与される、請求項２に記載の組成物。
【請求項６】
前記化合物がピモジドの薬学的に許容される塩である、請求項１に記載の組成物。
【請求項７】
前記化合物がピモジドの溶媒和物である、請求項１に記載の組成物。
【請求項８】
前記化合物がピモジドのプロドラッグである、請求項１に記載の組成物。
【請求項９】
前記化合物がニコチノヒドラジドである、請求項１に記載の組成物。
【請求項１０】
ニコチノヒドラジドが１日あたり約１mg/kg体重〜約20 mg/kg体重の量で前記対象に投与される、請求項９に記載の組成物。
【請求項１１】
ニコチノヒドラジドが１日あたり約１mg/kg体重〜約5 mg/kg体重の量で前記対象に投与される、請求項９に記載の組成物。
【請求項１２】
ニコチノヒドラジドが１日あたり約5 mg/kg体重〜約10 mg/kg体重の量で前記対象に投与される、請求項９に記載の組成物。
【請求項１３】
前記化合物がニコチノヒドラジドの薬学的に許容される塩である。請求項１に記載の組成物。
【請求項１４】
前記化合物がニコチノヒドラジドの溶媒和物である、請求項１に記載の組成物。
【請求項１５】
前記化合物がニコチノヒドラジドのプロドラッグである、請求項１に記載の組成物。
【請求項１６】
前記対象が抗TNF非応答者である、請求項１に記載の組成物。
【請求項１７】
対象におけるSTAT5媒介医学的症状又はSTAT5媒介自己免疫疾患の治療または予防のための組成物であって、治療有効量の化合物を含み、前記化合物がSTAT5阻害剤、またはSTAT5阻害剤の薬学的に許容される塩、またはSTAT5阻害剤の溶媒和物、またはSTAT5阻害剤のプロドラッグである、組成物。
【請求項１８】
対象におけるSTAT5媒介医学的症状又はSTAT5媒介自己免疫疾患の治療または予防方法のためのゲノム編集ツールであって、前記方法が次のステップ：
a. ゲノム編集ツールを提供し；
b. 前記ゲノム編集ツールを関節組織細胞に送達し；そして
c. 全STAT5遺伝子、STAT5遺伝子のリン酸化部位、STAT5遺伝子のプロモーター領域、またはSTAT5遺伝子のSH2ドメインを削除することにより、STAT5遺伝子を編集すること
を含む、ゲノム編集ツール。
【請求項１９】
前記ゲノム編集ツールがCRISPR-CAS9システムである、請求項１８に記載のゲノム編集ツール。
【請求項２０】
前記STAT5媒介医学的症状又はSTAT5媒介自己免疫疾患が関節リウマチであり、かつ、前記対象が抗TNF非応答者である、請求項１８に記載のゲノム編集ツール。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
薬剤の組み合わせであって、ヒト患者の癌の治療において、同時に使用するか、別々に使用するか、または逐次的に使用するための、
（Ａ）式ＣＯＯＨ−ＣＨＯＨ−（ＣＨ２）６−（ＣＨ＝ＣＨ−ＣＨ２）２−（ＣＨ２）３−ＣＨ３（ＡＢＴＬ０８１２）の多価不飽和脂肪酸である組成物、その薬学的に許容される塩、またはその混合物と、
（Ｂ）化学療法剤化合物であって、化合物（Ｂ）が、
ドセタキセル、
パクリタキセル、
ナブパクリタキセル、
カルボプラチン、
シスプラチン、
オキサリプラチン、及び
トポテカン、
からなる群から選択される少なくとも１つの化学療法剤化合物である、化学療法剤化合物とを含む、薬剤の組み合わせ。
【請求項２】
化合物（Ｂ）が、
ドセタキセル、
パクリタキセル、
カルボプラチン、及び
シスプラチン、
からなる群から選択される少なくとも１つの化学療法剤化合物である、請求項１に記載の薬剤の組み合わせ。
【請求項３】
化合物（Ａ）がＣＯＯＨ−ＣＨＯＨ−（ＣＨ２）６−（ＣＨ＝ＣＨ−ＣＨ２）２−（ＣＨ２）３−ＣＨ３（ＡＢＴＬ０８１２）のナトリウム塩である、請求項１または請求項２に記載の薬剤の組み合わせ。
【請求項４】
前記癌が、
肺癌、
非小細胞肺癌、
小細胞肺癌、
扁平上皮癌、
腺癌、
子宮内膜癌、
膵臓癌、
膠芽腫、
乳癌、
頭頸部癌、
神経芽細胞腫、及び、
胆管癌、
からなる群から選択される少なくとも１つの癌である、請求項１から請求項３のいずれかに記載の薬剤の組み合わせ。
【請求項５】
前記癌が、
非小細胞肺癌、
扁平上皮癌、
子宮内膜癌、
膵臓癌、
膠芽腫、
乳癌、
神経芽細胞腫、及び、
胆管癌、
からなる群から選択される少なくとも１つの癌である、請求項１から請求項４のいずれかに記載の薬剤の組み合わせ。
【請求項６】
化合物（Ｂ）がドセタキセルであり、前記癌が肺癌、好ましくは非小細胞肺腺癌であるか、
化合物（Ｂ）がパクリタキセルであり、前記癌が肺癌、好ましくは非小細胞肺腺癌であるか、
化合物（Ｂ）がカルボプラチンであり、前記癌が子宮内膜癌であるか、
化合物（Ｂ）がパクリタキセルであり、前記癌が乳癌、好ましくはトリプルネガティブ乳癌であるか、
化合物（Ｂ）がパクリタキセル及びカルボプラチンであり、前記癌が扁平上皮癌、好ましくは非小細胞扁平上皮肺癌であるか、
化合物（Ｂ）がパクリタキセル及びカルボプラチンであり、前記癌が非小細胞肺腺癌であるか、
化合物（Ｂ）がパクリタキセルであり、前記癌が子宮内膜癌であるか、
化合物（Ｂ）がパクリタキセル及びカルボプラチンであり、前記癌が子宮内膜癌であるか、
化合物（Ｂ）がパクリタキセル及びゲムシタビンであり、前記癌が膵臓癌であるか、
化合物（Ｂ）がシスプラチン及びゲムシタビンであり、前記癌が神経芽細胞腫であるか、または
化合物（Ｂ）がシスプラチン及びゲムシタビンであり、前記癌が胆管癌である、
、
請求項１から請求項５のいずれかに記載の薬剤の組み合わせ。
【請求項７】
化合物（Ｂ）がドセタキセルであり、前記癌が肺癌、好ましくは非小細胞肺腺癌であるか、
化合物（Ｂ）がカルボプラチンであり、前記癌が子宮内膜癌であるか、
化合物（Ｂ）がパクリタキセルであり、前記癌が乳癌、好ましくはトリプルネガティブ乳癌であるか、
化合物（Ｂ）がパクリタキセル及びカルボプラチンであり、前記癌が扁平上皮癌、好ましくは非小細胞扁平上皮肺癌であるか、
化合物（Ｂ）がパクリタキセル及びカルボプラチンであり、前記癌が非小細胞肺腺癌であるか、
化合物（Ｂ）がペメトレキセド及びシスプラチンあり、前記癌が非小細胞肺腺癌であるか、
化合物（Ｂ）がパクリタキセル及びカルボプラチンであり、前記癌が子宮内膜癌であるか、
化合物（Ｂ）がパクリタキセル及びゲムシタビンであり、前記癌が膵臓癌であるか、または、
化合物（Ｂ）がシスプラチン及びゲムシタビンであり、前記癌が胆管癌であるか、
請求項１から請求項６のいずれかに記載の薬剤の組み合わせ。
【請求項８】
化合物（Ｂ）がパクリタキセル及びカルボプラチンであり、前記癌が進行性子宮内膜癌、好ましくは進行性子宮内膜癌の場合であるか、または、
化合物（Ｂ）がパクリタキセル及びカルボプラチンであり、前記癌が扁平上皮癌の場合である、請求項１から請求項７のいずれかに記載の薬剤の組み合わせ。
【請求項９】
化合物（Ａ）が経口的に投与される、請求項８に記載の薬剤の組み合わせ。
【請求項１０】
化合物（Ａ）の投与量が、１２００ｍｇ〜１４００ｍｇの用量である、請求項９に記載の薬剤の組み合わせ。
【請求項１１】
前記薬剤の組み合わせが、化合物（Ａ）と化合物（Ｂ）とを含む単一の組成物である、請求項１から請求項１０のいずれかに記載の薬剤の組み合わせ。
【請求項１２】
化合物（Ａ）が経口的に投与される、請求項１から請求項１１のいずれかに記載の薬剤の組み合わせ。
【請求項１３】
化合物（Ａ）の投与量が、１日あたり２００ｍｇ〜２０００ｍｇの総用量である、請求項１から請求項１２のいずれかに記載の薬剤の組み合わせ。
【請求項１４】
化合物（Ｂ）がドセタキセルであり、輸液を介して静脈内に投与されるか、
化合物（Ｂ）がパクリタキセルであり、輸液を介して静脈内に投与されるか、
化合物（Ｂ）がカルボプラチンであり、輸液を介して静脈内に投与されるか、または
化合物（Ｂ）がシスプラチンであり、輸液を介して静脈内に投与される、
請求項１から請求項１３のいずれかに記載の薬剤の組み合わせ。
【請求項１５】
化合物（Ｂ）が
パクリタキセル及びカルボプラチン；
パクリタキセル及びゲムシタビン；
ナブパクリタキセル及びゲムシタビン；
ゲムシタビン及びシスプラチン；または
ペメトレキセド及びシスプラチン；
を含む、請求項１〜１４のいずれか１項に記載の薬剤の組み合わせ。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：８のｈＳｌｏタンパク質をコードするポリヌクレオチドであって、該ポリヌクレオチドが、ＳＥＱ  ＩＤ  ＮＯ：６の５’末端配列
５’−ａｔｇｇｃａａａｃｇｇｔｇｇｃｇｇｃｇｇｃｇｇｃｇｇｃｇｇｃａｇｃａｇｃｇｇ−３’
を含むポリヌクレオチド。
【請求項２】
前記ポリヌクレオチドの核酸配列が、ＳＥＱ  ＩＤ  ＮＯ：８のｈＳｌｏタンパク質のＴ３５２Ｓ置換をコードする変異を含む請求項１に記載のポリヌクレオチド。
【請求項３】
請求項１または２に記載のポリヌクレオチドを含むｈＳｌｏオープンリーディングフレーム配列を含むベクター。
【請求項４】
ベクターが、プラスミド、アデノウイルスベクター、アデノ随伴ウイルス（ＡＡＶ）ベクター、レトロウイルスベクターまたはリポソームを含む請求項３に記載のベクター。
【請求項５】
プラスミドがｐＶＡＸである請求項４に記載のベクター。
【請求項６】
ｐＶＡＸが、ＳＥＱ  ＩＤ  ＮＯ：１０のｐＶＡＸ配列と少なくとも９５％同一の配列を有する請求項５に記載のベクター。
【請求項７】
ｐＶＡＸ配列が、
（ｉ）ＳＥＱ  ＩＤ  ＮＯ：１０の２位でのＡに対するＧの置換、
（ｉｉ）ＳＥＱ  ＩＤ  ＮＯ：１０の５位での追加のＧ、
（ｉｉｉ）ＳＥＱ  ＩＤ  ＮＯ：１０の１１５８位でのＣに対するＴの置換、
（ｉｖ）ＳＥＱ  ＩＤ  ＮＯ：１０の２０９２位でのＡの欠落、
（ｖ）ＳＥＱ  ＩＤ  ＮＯ：１０の２４９３位でのＣに対するＴの置換または
（ｖｉ）それらの組み合わせを含む請求項６に記載のベクター。
【請求項８】
請求項１に記載のポリヌクレオチドを含むｈＳｌｏオープンリーディングフレーム配列を含むベクターと、薬学的に許容される希釈剤または担体とを単位用量で含む医薬組成物であって、該医薬組成物が平滑筋への注射用に製剤化されている医薬組成物。
【請求項９】
単位用量が、約５，０００ｍｃｇから５０，０００ｍｃｇ、少なくとも約１０，０００ｍｃｇ、約１６，０００ｍｃｇまたは約２４，０００ｍｃｇである請求項８に記載の医薬組成物。
【請求項１０】
請求項１または２に記載のポリヌクレオチド、請求項４から７のいずれかに記載のベクターまたは請求項８または９のいずれかに記載の医薬組成物であって、それを必要とするヒト対象における過活動膀胱症候群または下垂体過活動の徴候または症状を治療または緩和する方法に使用するためのものであり、対象に請求項８または９に記載の医薬組成物の薬学的に有効な量を投与するためのものであるポリヌクレオチド、ベクターまたは医薬組成物。
【請求項１１】
請求項１０に記載の使用のためのポリヌクレオチド、ベクターまたは医薬組成物であって、該ポリヌクレオチド、ベクターまたは医薬組成物が、排尿筋に投与されるものであるポリヌクレオチド、ベクターまたは医薬組成物。
【請求項１２】
ポリヌクレオチド、ベクターまたは医薬組成物が、直接注入によって、排尿筋に投与されるものである請求項１０または１１に記載の使用のためのポリヌクレオチド、ベクターまたは医薬組成物。
【請求項１３】
直接注入が、少なくとも２、少なくとも５、少なくとも１０、少なくとも１５、少なくとも２０またはそれ以上の注入部位に行われるものである請求項１２に記載の使用のためのポリヌクレオチド、ベクターまたは医薬組成物。
【請求項１４】
過活動膀胱症候群の徴候または症状が、尿意切迫感、排尿頻度、夜間頻尿、切迫性尿失禁またはそれらの組み合わせから選択される請求項１０から１３に記載の使用のためのポリヌクレオチド、ベクターまたは医薬組成物。
【請求項１５】
請求項１または２に記載のポリヌクレオチド、請求項４から７に記載のベクターまたは請求項８または９に記載の医薬組成物、任意に薬学的に許容される希釈剤または担体および任意に請求項１０から１４に記載の使用説明書を含むキット。
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
癌治療のための医薬用組成物であって、該組成物が、
（ｉ）少なくとも第１の腫瘍内注射と、
（ｉｉ）少なくとも第２の皮下又は筋肉内注射と、
を含む投与レジメンに従って被験体に投与され、前記少なくとも１回の腫瘍内注射が前記少なくとも１回の皮下又は筋肉内注射の前に適用され、該組成物が請求項１〜１６のいずれか一項に記載の組成物であり、
該組成物が、粒子を含む水性組成物であって、
（ｉ）前記粒子の各々は、
（ａ）ポリイノシン−ポリシチジン酸（ポリ（Ｉ：Ｃ））、又はその塩若しくはその溶媒和物と、
なお、前記粒子に含まれるポリ（Ｉ：Ｃ）分子の少なくとも４０％が少なくとも８５０塩基対を有し、前記粒子に含まれるポリ（Ｉ：Ｃ）分子の少なくとも５０％が４００塩基対〜５０００塩基対を有する；
（ｂ）水溶性、直鎖ホモポリアルキレンイミン若しくはヘテロポリアルキレンイミン、又はその塩及び／又はその溶媒和物と、
なお、前記直鎖ポリアルキレンイミンの平均分子量が１７ｋＤａ〜２３ｋＤａである；
の複合体を含み、
（ｉｉ）前記粒子の少なくとも９０％は、３００ｎｍ未満の単峰性の径分布を有し、
（ｉｉｉ）前記粒子は、ＩＳＯ２２４１２：２０１７によって測定される８０±２０ｎｍのｚ平均径を有し、粒子径の多分散指数は１．５未満であり、
（ｉｖ）該組成物は、少なくとも０．５ｍｇ／ｍＬの濃度のポリイノシン−ポリシチジン酸（ポリ（Ｉ：Ｃ））を含み、
（ｖ）該組成物は、２〜４のｐＨ及び２００ｍＯｓｍ／ｋｇ〜６００ｍＯｓｍ／ｋｇのモル浸透圧濃度を有し、
（ｖｉ）該組成物は、ＩＳＯ１３０９９−２：２０１２による３５ｍＶ〜５０ｍＶのゼータ電位を有する、
水性組成物である、医薬用組成物。
【請求項２】
前記粒子が８５±２０ｎｍの中位径（Ｄ５０％）を有する、請求項１に記載の組成物。
【請求項３】
前記粒子がＩＳＯ２２４１２：２０１７によって測定される８０±２０ｎｍのｚ平均径を有し、かつ０．１〜０．６の間の多分散値を有する、請求項１に記載の組成物。
【請求項４】
少なくとも１つの薬学的に許容可能な担体、有機溶媒、賦形剤、及び／又はアジュバントを更に含む、請求項１に記載の組成物。
【請求項５】
第２の治療剤の投与の前又は後に投与され、該第２の治療剤が同じ及び／又は他の病変（複数の場合もある）における腫瘍内若しくは腫瘍周囲への注射、皮下注射、又は筋肉内注射によって投与される、請求項１〜４のいずれか一項に記載の医薬用組成物。
【請求項６】
前記第２の治療剤が、被験体が該第２の治療剤に抵抗性を示す、非感受性の、又は殆ど（又は全く）応答しないかを判定した後に前記被験体に投与される、請求項５に記載の医薬用組成物。
【請求項７】
前記第２の治療剤が、請求項１に記載の組成物の投与を受けて、
統計的に有意な循環免疫細胞の数の増加が見られるかを判定した後に被験体に投与される、請求項５に記載の医薬用組成物。
【請求項８】
前記第２の治療剤が抗ＣＴＬＡ４抗体、抗ＰＤ１抗体、抗ＰＤＬ１抗体、ＣＡＲ−Ｔ細胞、癌抗原ワクチン、又は制御性Ｔ細胞を標的とする薬剤、代謝酵素、ＤＮＡの修復及び／又は複製に関与する薬物から選択される、請求項６又は７に記載の医薬用組成物。
【請求項９】
前記癌が固形癌である、請求項１〜５のいずれか一項に記載の医薬用組成物。
【請求項１０】
前記医薬用途が、黒色腫、非小細胞肺癌、頭頸部癌、腎細胞癌、膀胱癌、肝細胞癌及びホジキンリンパ腫から選択される癌の治療用途又は予防用途である、請求項９に記載の医薬用組成物。
【請求項１１】
前記医薬用途が前立腺癌、乳癌、大腸癌又はこれらの癌のサブタイプの治療用途又は予防用途である、請求項９に記載の医薬用組成物。
【請求項１２】
任意の前記第２の又は他の付加的な腫瘍内、腫瘍周囲、皮下又は筋肉内注射が、前記少なくとも第１の腫瘍内注射の少なくとも２４時間後に行われる、請求項５〜８のいずれか一項に記載の医薬用組成物。
【請求項１３】
前記循環免疫細胞が、ＮＫ細胞、樹状細胞、単球、及び／又は制御性Ｔ細胞、及び／又はそれらの全集団又は特定の亜集団である、請求項７に記載の医薬用組成物。
【請求項１４】
癌治療のための医薬用組成物であって、該組成物が、
（ｉ）被験体から細胞を得ることと、
（ｉｉ）前記細胞と該組成物とをｅｘ  ｖｉｖｏで接触させることと、
（ｉｉｉ）かかる細胞を前記被験体に投与することと、
を含む投与レジメンに従って被験体に投与され、該組成物が請求項１〜１６のいずれか一項に記載の組成物であり、
該組成物が、粒子を含む水性組成物であって、
（ｉ）前記粒子の各々は、
（ａ）ポリイノシン−ポリシチジン酸（ポリ（Ｉ：Ｃ））、又はその塩若しくはその溶媒和物と、
なお、前記粒子に含まれるポリ（Ｉ：Ｃ）分子の少なくとも４０％が少なくとも８５０塩基対を有し、前記粒子に含まれるポリ（Ｉ：Ｃ）分子の少なくとも５０％が４００塩基対〜５０００塩基対を有する；
（ｂ）水溶性、直鎖ホモポリアルキレンイミン若しくはヘテロポリアルキレンイミン、又はその塩及び／又はその溶媒和物と、
なお、前記直鎖ポリアルキレンイミンの平均分子量が１７ｋＤａ〜２３ｋＤａである；
の複合体を含み、
（ｉｉ）前記粒子の少なくとも９０％は、３００ｎｍ未満の単峰性の径分布を有し、
（ｉｉｉ）前記粒子は、ＩＳＯ２２４１２：２０１７によって測定される８０±２０ｎｍのｚ平均径を有し、粒子径の多分散指数は１．５未満であり、
（ｉｖ）該組成物は、少なくとも０．５ｍｇ／ｍＬの濃度のポリイノシン−ポリシチジン酸（ポリ（Ｉ：Ｃ））を含み、
（ｖ）該組成物は、２〜４のｐＨ及び２００ｍＯｓｍ／ｋｇ〜６００ｍＯｓｍ／ｋｇのモル浸透圧濃度を有し、
（ｖｉ）該組成物は、ＩＳＯ１３０９９−２：２０１２による３５ｍＶ〜５０ｍＶのゼータ電位を有する、
水性組成物である、医薬用組成物。
【請求項１５】
前記細胞が前記組成物への曝露の前及び／又は後の１つ以上のマーカーの発現について選択される、請求項１４に記載の医薬用組成物。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
式（Ｉ）の化合物又はその薬学的に許容される塩：
【化１】
2020520359.tif 000001
（式中、
Ｒ１は、水素又はメチルを表し；
Ｒ２は、メチル、ブロモ、クロロ又はシアノを表す。）。
【請求項２】
Ｒ１が水素を表す；請求項１に記載の化合物又はその薬学的に許容される塩。
【請求項３】
Ｒ１がメチルを表す；請求項１に記載の化合物又はその薬学的に許容される塩。
【請求項４】
Ｒ２がメチルを表す；請求項１〜３のいずれか１項に記載の化合物又はその薬学的に許容される塩。
【請求項５】
Ｒ２がクロロを表す；請求項１〜３のいずれか１項に記載の化合物又はその薬学的に許容される塩。
【請求項６】
Ｒ２がシアノを表す；請求項１〜３のいずれか１項に記載の化合物又はその薬学的に許容
される塩。
【請求項７】
下記からなる群より選択される、請求項１に記載の化合物又はその薬学的に許容される塩：
４−｛６−［２−（２−メチル−インドール−１−イル）−エチルアミノ］−ピリミジン−４−イル｝−安息香酸；
４−｛６−［２−（２−シアノ−インドール−１−イル）−エチルアミノ］−ピリミジン−４−イル｝−安息香酸；
４−｛６−［２−（２，７−ジメチル−インドール−１−イル）−エチルアミノ］−ピリミジン−４−イル｝−安息香酸；
４−｛６−［２−（２−クロロ−インドール−１−イル）−エチルアミノ］−ピリミジン−４−イル｝−安息香酸；及び
４−｛６−［２−（２−ブロモ−インドール−１−イル）−エチルアミノ］−ピリミジン−４−イル｝−安息香酸。
【請求項８】
有効成分としての請求項１〜７のいずれか１項に記載の化合物又はその薬学的に許容される塩と、少なくとも１種の治療上不活性な賦型剤とを有する医薬組成物。
【請求項９】
医薬として使用するための、請求項１〜７のいずれか１項に記載の化合物又はその薬学的に許容される塩。
【請求項１０】
有効成分として、請求項１〜７のいずれか１項に記載の化合物又はその薬学的に許容される塩を含む、癌；疼痛；子宮内膜症；常染色体優性多発性嚢胞腎；アテローム性動脈硬化の患者における急性虚血症候群；肺炎；及び神経変性疾患からなる群より選択される疾患の予防用又は治療用の；又は、雌の受精の制御用の医薬。
【請求項１１】
有効成分として、請求項１〜７のいずれか１項に記載の化合物又はその薬学的に許容される塩を含む、メラノーマ；肺癌；膀胱癌（ｂｌａｄｄｅｒ  ｃａｎｃｅｒ）；腎癌；消化器癌；子宮体癌；卵巣癌；子宮頚部癌；及び神経芽細胞腫から選択される癌の予防用又は治療用の医薬。
【請求項１２】
癌；疼痛；子宮内膜症；常染色体優性多発性嚢胞腎；アテローム性動脈硬化の患者における急性虚血症候群；肺炎；及び神経変性疾患からなる群より選択される疾患の予防又は治療のための；又は、雌の受精の制御のための；医薬の製造における、請求項１〜７のいずれか１項に記載の化合物の使用又はその薬学的に許容される塩の使用。
【請求項１３】
有効成分として、請求項１〜７のいずれか１項に記載の化合物又はその薬学的に許容される塩を含む、癌の治療用の医薬であって；当該癌が、腫瘍を有する対象における免疫応答の調節により治療され；当該医薬が、当該対象の上記腫瘍における免疫系を再活性化する；医薬。
【請求項１４】
有効成分として、請求項１〜７のいずれか１項に記載の化合物又はその薬学的に許容される塩を含む、癌の予防用又は治療用の医薬であって；当該医薬が、ＰＧＥ２レセプターＥＰ４の調節剤と組み合わせて；加えて、任意で、１又は２種以上の化学療法剤及び／又は放射線療法及び／又は標的療法と組み合わせて使用される；医薬。
【手続補正書】
【提出日】令和3年5月11日(2021.5.11)
【手続補正１】
【補正対象書類名】明細書
【補正対象項目名】００１８
【補正方法】変更
【補正の内容】
【００１８】
ＧＢ  ２  ４２８  ４９１  Ａは、効率的な色補正のために、凹面ミラーの近傍で放射線が２回通過する領域に反対方向に通過する放射線を有する回折光学要素が配置される折り畳みビーム経路および凹面ミラーをもつ反射屈折投影レンズを記載している。
【手続補正２】
【補正対象書類名】特許請求の範囲
【補正対象項目名】全文
【補正方法】変更
【補正の内容】
【特許請求の範囲】
【請求項１】
光学結像系の結像ビーム経路中の位置で、投影露光装置（ＷＳＣ）の投影レンズ（ＰＯ）の光学要素（ＰＰ）との交換用の光学要素（ＰＰ’）として使用するための、局所的に変化する透過率を有する補正面をもつ光学要素を生成するための方法であって、前記方法が、
ａ）回折構造を備えるべき少なくとも１つの補正面の前記結像ビーム経路中の位置を選ぶステップと、
ｂ）前記結像ビーム経路中の前記補正面の前記位置と視野依存瞳場所との間の割り当てを確認するステップと、
ｃ）像視野の異なる視野点に関して（前記像視野の視野場所に応じて）射出瞳内の局所強度分布を測定するステップと、
ｄ）前記射出瞳内の前記局所強度分布の意図したプロファイルを得るために、回折による放射線強度のマスキングについての求められている局所分布を表す意図した偏向プロファイルを確認するステップと
ｅ）前記補正面の区域場所に入射する光線の入射角をもつ第１のスペクトルと、前記像視野の方向に前記区域場所から発する光線の反射角をもつ第２のスペクトルと、非重大領域の方向に前記区域場所から進む光線の反射角をもつ第３のスペクトルとを確認するステップと、
ｆ）動作波長の光線の前記第３のスペクトルの領域の角度への回折を生成する回折構造の構造周期および構造方位を確認するステップと、
ｇ）前記意図した偏向プロファイルが得られることになる前記回折構造の空間依存回折強度を確認するステップと、
ｈ）ステップｆ）およびステップｇ）の結果に応じて前記補正面に前記回折構造を生成するステップと
を含む、方法。
【請求項２】
請求項１に記載の方法により生成される前記交換用の光学要素（ＰＰ’）を用いるステップと、
マスク（Ｍ）のパターン（ＰＡＴ）が前記投影レンズ（ＰＯ）の物体平面（ＯＳ）の領域に配置されるように前記投影露光装置（ＷＳＣ）の照明系（ＩＬＬ）と前記投影レンズ（ＰＯ）との間に前記マスク（Ｍ）を保持するステップと、
放射線感受性基板（Ｗ）の放射線感受性面が前記物体平面と光学的に共役な前記投影レンズの像平面（ＩＳ）の領域に配置されるように前記基板（Ｗ）を保持するステップと、
前記投影露光装置（ＷＳＣ）の投影レンズ（ＰＯ）の光学要素（ＰＰ）を前記交換用の光学要素（ＰＰ’）へと交換するステップと、
前記マスクの照明視野（ＯＦ）を動作波長λを有する前記照明系によって供給された照明放射線で照明するステップと、
前記照明視野にある前記パターンの一部を前記基板の像視野（ＩＦ）に前記投影レンズを用いて投影するステップであり、前記像視野における像生成に寄与するすべて光線が前記投影レンズの結像ビーム経路を形成する、投影するステップと
を含み、
動作中に、前記回折構造が、前記回折構造に入射した前記光線の前記強度の成分を前記結像ビーム経路の外の非重大領域に回折によって誘導する、投影露光方法。
【請求項３】
前記回折構造（ＤＳ）は、前記回折された放射線の４０％超が前記像視野（ＩＦ）まで達しないように設計される、請求項２に記載の投影露光方法。
【請求項４】
前記回折構造（ＤＳ）は、以下の条件：
・最も高い回折強度が０次の回折に存在し、前記０次の回折と異なる最も高い回折強度をもつ回折次数が、前記結像ビーム経路の外の非重大領域に回折される、
・前記射出瞳内の前記強度分布は、回折構造のない構成と比較して、前記射出瞳内の前記強度分布が、０．２％超だけ、好ましくは、２％超だけ、特に、１０％超だけ変化するように変更され、好ましくは、これらの限度が、前記強度分布の非回転対称寄与に当てはまる、
・前記補正面の前記光学的使用領域の５％超、好ましくは１０％超、特に、１５％超の面積をもつ部分が、いかなる回折構造も保持しない、
・前記回折構造の非回転対称成分のＲＭＳ値が、回転対称成分のＲＭＳ値を超える、
の少なくとも１つ、好ましくは、これらの条件のいくつかまたはすべてが満たされるように生成される、請求項２または３に記載の投影露光方法。
【請求項５】
前記回折構造（ＤＳ）によって回折された前記成分のうちの実質的成分が、前記非重大領域において少なくとも１つの低反射放射線捕捉デバイス（ＳＩ１、ＳＩ２）によって捕捉され、好ましくは、前記低反射放射線捕捉デバイスが、前記補正面をもつ前記光学要素から少なくとも５ｍｍ離して配置される、請求項２から４までのいずれか１項に記載の投影露光方法。
【請求項６】
前記回折構造が、高密度ラインをもつパターンを有し、前記高密度ラインが、前記動作波長の１０倍未満のライン間隔を有する、請求項２から５までのいずれか１項に記載の投影露光方法。
【請求項７】
前記回折構造が、部分的にまたは完全に、位相格子として設計される、請求項２から６までのいずれか１項に記載の投影露光方法。
【請求項８】
単位面積当たり異なる密度をもつ回折構造（ＤＳ）が前記補正面に生成され、および／または前記回折構造は、回折構造をもつ領域が前記補正面において回折構造のない領域の隣に位置するように生成される、請求項２から７までのいずれか１項に記載の投影露光方法。
【請求項９】
前記投影レンズは、少なくとも１つの実中間像が前記物体平面（ＯＳ）と前記像平面（ＩＳ）との間の中間像平面の領域に生成されるように構成され、前記補正面を備えた前記光学要素が、前記物体平面と前記中間像との間の瞳平面に、またはその近傍に配置される、請求項２から８までのいずれか１項に記載の投影露光方法。
【請求項１０】
前記照明視野および前記像視野が、第１の方向の視野幅と前記第１の方向に垂直な第２の方向の視野高さとの間の１よりも大きいアスペクト比を用いてスロット形状にされ、前記回折構造の構造要素の構造方位は、前記回折構造が、主として（ｐｒｅｄｏｍｉｎａｎｔｌｙ）または排他的に（ｅｘｃｌｕｓｉｖｅｌｙ）前記第２の方向に回折するように設計される、請求項２から９までのいずれか１項に記載の投影露光方法。
【請求項１１】
補正面のない前記投影レンズの瞳透過率が測定によって決定され、前記回折構造は、空間依存回折プロファイルが生成されるように具現され、前記回折プロファイルは、前記補正面が前記結像ビーム経路に配置される場合、補正面のない構成に対して前記瞳透過率の変動を低減する、請求項２から１０までのいずれか１項に記載の投影露光方法。
【請求項１２】
深紫外線（ＤＵＶ）範囲からの動作波長または極紫外線範囲（ＥＵＶ）からの動作波長をもつ電磁放射線が利用される、請求項２から１１までのいずれか１項に記載の投影露光方法。
【手続補正３】
【補正対象書類名】図面
【補正対象項目名】図３
【補正方法】変更
【補正の内容】
【図３】
2020520477.tif 000001
【手続補正書】
【提出日】令和3年2月22日(2021.2.22)
【手続補正１】
【補正対象書類名】明細書
【補正対象項目名】００４２
【補正方法】変更
【補正の内容】
【００４２】
衣類10は、図3に示されるように、3つの層22、24、26で作られた臭気ろ過材料12の少なくとも1つのパネルを有する。臭気ろ過材料12は、臭気を吸着することによって体臭に関連する化学物質を除去する活性炭26の層を含む。衣類10は、活性炭層を有さない1つ以上の他の布地パネル16を、適切な縫い目15によって臭気ろ過材料12に接続して含むことができる。これらの他の布地パネル16を、衣類の重量を減らすため使用することができ、どれくらい暖かく衣類を着用できるかを左右するために使用することができ、あるいは衣類の柔軟性を特定の領域において高めるために使用することができる。布地パネル16は、一般に、臭気ろ過材料12の少なくとも1つのパネルよりも柔軟である。
【手続補正２】
【補正対象書類名】明細書
【補正対象項目名】００５８
【補正方法】変更
【補正の内容】
【００５８】
このテストを使用して、臭気ろ過材料の一例は、第1の方向において2kgの荷重のもとで47.3％の伸びを有し、第1の方向に垂直な第2の方向において2kgの荷重のもとで8.3％の伸びを有することが明らかになった。したがって、少なくとも1つの方向において、20％を超える伸びを有する。この大きな伸びは、ランニングまたは他の運動の最中などに衣類がユーザの動きに従うことを可能にするため、衣類にとってきわめて有用である。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
無機結晶を含む無機フィルム、ここで、無機結晶の各々が表面を有する；並びに
前記無機結晶の表面に結合されている無機アニオン；並びに
が前記無機フィルムの無機アニオンに結合されている光酸発生剤カチオン、又は前記無機フィルム内に分散されている非オン性光酸発生剤；
を含む、材料。
【請求項２】
前記無機アニオンが、金属ハロゲン化物、金属カルコゲナイド、金属酸化物、カルコゲナイド、ハロゲン化物、Ｏ２−；ＣＮ−、Ｎ３−、ＳＣＮ−、及びＯＣＮ−から選択された偽ハロゲン化物、又はそれらの２以上の組合せを含む、請求項１記載の材料。
【請求項３】
前記光酸発生剤カチオンを含む、請求項１記載の材料。
【請求項４】
前記光酸発生剤カチオンが、ジアリールヨードニウム、トリアリールスルホニウム、ジアリールアルキルスルホニウム、又はそれらの組合せを含む、あるいは、
前記光酸発生剤カチオンが、ビス（４−ｔｅｒｔ−ブチルフェニル）ヨードニウム、ｂｏｃ−メトキシフェニルジフェニルスルホニウム、（ｔｅｒｔ−ブトキシカルボニルメトキシナフチル）−ジフェニルスルホニウム、（４−ｔｅｒｔ−ブチルフェニル）ジフェニルスルホニウム、ジフェニルヨードニウム、（４−フルオロフェニル）ジフェニルスルホニウム、Ｎ−ヒドロキシナフタルイミド、Ｎ−ヒドロキシ−５−ノルボルネン−２，３−ジカルボキシイミド、（４−ヨードフェニル）ジフェニルスルホニウム、（４−メトキシフェニル）ジフェニルスルホニウム、（４−メチルチオフェニル）メチルフェニルスルホニウム、（４−フェノキシフェニル）ジフェニルスルホニウム、（４−フェニルチオフェニル）ジフェニルスルホニウム、トリアリールスルホニウム、トリフェニルスルホニウム、トリス（４−ｔｅｒｔ−ブチルフェニル）スルホニウム、（４−メチルフェニル）ジフェニルスルホニウム、又はそれらの２以上の組合せを含む、請求項３記載の材料。
【請求項５】
前記無機アニオン及び前記光酸発生剤カチオンが、式Ａ２−ＭＸ４、Ａ−ＭＸ３、又はＡｎ−ＭＸ６を有するリガンドを形成し、式中、Ａは、ジアリールヨードニウム、トリアリールスルホニウム、ジアリールアルキルスルホニウム、又はそれらの組合せを表し、Ｍは、金属原子を表し、Ｘは、ハロゲン原子を表し、ここでｎ＝２、３、又は４である、請求項４記載の材料。
【請求項６】
前記材料が、前記非オン性光酸発生剤を含む、請求項１記載の材料。
【請求項７】
前記無機結晶が、ＩＩ−ＶＩ族結晶又はＩＩＩ−Ｖ族結晶を含む、請求項１記載の材料。
【請求項８】
前記ＩＩ−ＶＩ族結晶が、ＣｄＳｅ結晶、ＣｄＴｅ結晶、ＺｎＳ結晶、ＺｎＳｅ結晶、ＺｎＯ結晶、ＨｇＳｅ結晶、ＨｇＴｅ結晶、ＨｇＳ結晶、ＨｇｘＣｄ１−ｘＴｅ結晶、ＨｇｘＣｄ１−ｘＳ結晶、ＨｇｘＣｄ１−ｘＳｅ結晶、ＣｄｘＺｎ１−ｘＴｅ結晶、ＣｄｘＺｎ１−ｘＳｅ結晶、ＣｄｘＺｎ１−ｘＳ結晶、ＣｄＳ結晶、ＺｎＴｅ結晶、又はそれらの２以上の混合物を含み、式中０＜ｘ＜１である；あるいは、
前記ＩＩＩ−Ｖ族結晶が、ＩｎＰ結晶、ＩｎＡｓ結晶、ＩｎＮ結晶、ＩｎＳｂ結晶、ＧａＡｓ結晶、ＧａＰ結晶、ＧａＮ結晶、Ｉｎ（１−ｘ）ＧａｘＡｓ結晶（式中、０＜ｘ＜１）、Ｉｎ１−ｘＧａｘＰ結晶（式中、０＜ｘ＜１）、又はそれらの２以上の混合物を含む、請求項７記載の材料。
【請求項９】
前記無機結晶が、金属酸化物結晶を含む、請求項１記載の材料。
【請求項１０】
前記無機結晶が、金属結晶を含む、請求項１記載の材料。
【請求項１１】
前記無機アニオンが、周期表１２族又は１３族から選択される金属を含む、請求項１記載の材料。
【請求項１２】
基板上に請求項１記載の材料を形成すること；
該材料の第一の部分に放射線を照射すること、ここで該放射線は、前記光酸発生剤カチオン又は非オン性光酸発生剤によって吸収され、前記光酸発生剤カチオン又は非オン性光酸発生剤を破壊して酸を産生し、前記酸と無機フィルムとの間の相互作用が、前記材料の第二の部分を放射線による照射から防ぎながら、溶媒における前記無機フィルムの可溶性を変化させる；並びに
前記材料の第二の部分は溶解するが前記材料の第一の部分は溶解しない前記溶媒に前記材料を接触させること：を含む、無機フィルムのパターニングの方法。
【請求項１３】
前記放射線が、紫外線を含む、請求項１２記載の方法。
【請求項１４】
前記無機結晶が、誘電性の結晶である、請求項１記載の材料。
【請求項１５】
前記無機結晶が、金属結晶又は誘電性の結晶である、請求項１２記載の方法。
【請求項１６】
前記放射線が、波長３６５ｎｍの放射線を含む紫外線である、請求項１２記載の方法。
【請求項１７】
前記放射線が、電子ビームである、請求項１２記載の方法。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
車両の車体構成部品であって、該車体構成部品は、
誘電体から形成され、かつ内面及び外面を定める硬い基板と、
前記硬い基板の外面の上に配置されたレーダ透過性層と、
お互いに空間的に離され、かつ前記レーダ透過性層と前記硬い基板の外面との間に配置された複数の別個の不連続な導電性要素を備えるアンテナアレイ再帰反射体と、
を備える、車体構成部品。
【請求項２】
前記アンテナアレイ再帰反射体から前記硬い基板の内面への電気的接続を更に備える、請求項１に記載の車体構成部品。
【請求項３】
前記複数の別個の不連続な導電性要素は、金属を前記レーダ透過性層上に付けることにより形成される、請求項１に記載の車体構成部品。
【請求項４】
前記金属は、クロムめっき、導電性スプレー式塗料、導電性プリントインク、物理蒸着（ＰＶＤ）によって付けられる導電性コーティング、及び打刻金属と接着剤のうちの１つである、請求項３に記載の車体構成部品。
【請求項５】
前記アンテナアレイ再帰反射体と前記硬い基板の外面との間に付けられた接着剤を更に備える、請求項１に記載の車体構成部品。
【請求項６】
前記電気的接続は、前記硬い基板を通って又は前記硬い基板の外縁の周りでチャネルを介して前記硬い基板の内面におけるグランドプレーンに前記アンテナアレイ再帰反射体を電気的に接続するブレードコネクタシステムである、請求項２に記載の車体構成部品。
【請求項７】
前記誘電体は、ポリカーボネート（ＰＣ）、アクリロニトリルブタジエンスチレン（ＡＢＳ）、熱可塑性オレフィン（ＴＰＯ）、ポリメチルメタクリレート（ＰＭＭＡ）、及びアクリロニトリルスチレンアクリレート（ＡＳＡ）のうちの少なくとも１つを含む、請求項１に記載の車体構成部品。
【請求項８】
前記車体構成部品は、バンパ、車体サイドモールディング又はホイールトリム、グリル、ピラー、テイルランプ、及びトランクリッドのうちの１つである、請求項１に記載の車体構成部品。
【請求項９】
前記車体構成部品は、ロール・ツー・ロールプロセスを用いて形成される、請求項１に記載の車体構成部品。
【請求項１０】
車両の車体構成部品であって、該車体構成部品は、
レーダ透過性プラスチックから形成され、かつ内面及び外面を定める硬い基板であって、該硬い基板の内面は前記車体構成部品の内面に相当し、該硬い基板の外面は前記車両を囲む環境に面する、硬い基板と、
前記硬い基板の内面に付けられた複数の再帰反射体であって、該複数の再帰反射体の各再帰反射体は金属から形成され、かつコーナー再帰反射体構成を有する、複数の再帰反射体と、
を備える、車体構成部品。
【請求項１１】
前記複数の再帰反射体は、前記金属のピースを別個に打刻し、かつその次に各打刻金属ピースを前記硬い基板の内面に取り付けることにより、各々形成される、請求項１０に記載の車体構成部品。
【請求項１２】
前記複数の再帰反射体は、プラスチックピースを別個に形成し、各プラスチックピースを前記金属で別個にコーティングし、かつその次に各金属コーティングプラスチックピースを前記硬い基板の内面に取り付けることにより、各々形成される、請求項１０に記載の車体構成部品。
【請求項１３】
前記複数の再帰反射体は、前記金属の単一ピースを打刻し、かつ該単一打刻金属ピースを前記硬い基板の内面に取り付けることにより、集合的に形成される、請求項１０に記載の車体構成部品。
【請求項１４】
前記複数の再帰反射体は、単一プラスチックピースを形成し、該単一プラスチックピースを前記金属でコーティングし、かつ該単一金属コーティングプラスチックピースを前記硬い基板の内面に取り付けることにより、集合的に形成される、請求項１０に記載の車体構成部品。
【請求項１５】
前記複数の再帰反射体は、前記金属を前記硬い基板の内面に付けることにより形成される、請求項１０に記載の車体構成部品。
【請求項１６】
前記硬い基板は、マルチショット射出成形プロセスの１つのショットの間に形成され、前記複数の再帰反射体は、該マルチショット射出成形プロセスの他のショットの間に形成され、前記複数の再帰反射体は、該マルチショット射出成形プロセスの後で選択的にクロムめっきされる、請求項１０に記載の車体構成部品。
【請求項１７】
前記レーダ透過性プラスチックは、ポリカーボネート（ＰＣ）、アクリロニトリルブタジエンスチレン（ＡＢＳ）、熱可塑性オレフィン（ＴＰＯ）、ポリメチルメタクリレート（ＰＭＭＡ）、及びアクリロニトリルスチレンアクリレート（ＡＳＡ）のうちの少なくとも１つを含む、請求項１０に記載の車体構成部品。
【請求項１８】
前記車体構成部品は、塗装された車体サイドモールディング、塗装されたホイールトリム、モールドインカラー（ＭｉＣ）テールランプアクセント、及びトランクリッドフィニッシャのうちの１つである、請求項１０に記載の車体構成部品。
【請求項１９】
前記コーナー再帰反射体構成は、各々がそれぞれの長さを有する４つの辺を有する矩形又は正方形形状を定め、前記塗装された車体サイドモールディング及び前記トランクリッドフィニッシャについては、各長さは約８ミリメートルであり、前記塗装されたホイールトリム及び前記ＭｉＣテールランプアクセントについては、各長さは約１９ミリメートルである、請求項１８に記載の車体構成部品。
【請求項２０】
前記車体構成部品は、モールド注入プロセスにより形成される、請求項１０に記載の車体構成部品。